(57)【要約】【課題】ディスクアセンブリが積層によって容易に組み立てられる空気清浄加湿器及びそのディスクアセンブリを提供する。【解決手段】本体と、前記本体の内部に設けられる水槽と、前記本体の内部で気流を形成する送風ファンと、前記水槽に一部分が配置され、複数の積層されたディスクを有するディスクアセンブリとを含み、前記積層されたディスクの少なくとも二つは、本体部と、前記本体部の表面を通して定義される複数の組み立て部と、前記本体部の一面から突出する第１の突起部と、前記本体部の他面から突出する第２の突起部とを含み、前記本体部は、前記複数の組み立て部によって複数のセクタに区画され、前記第１の突起部と第２の突起部は、前記複数のセクタが分割される各領域で交互に形成されることを特徴とする空気清浄加湿器を構成する。【選択図】図１
2011080755.tif 000002
【特許請求の範囲】
【請求項１】
本体と、
前記本体の内部に設けられる水槽と、
前記本体の内部で気流を形成する送風ファンと、
前記水槽に一部分が配置され、複数の積層されたディスクを有するディスクアセンブリと、を含み、
前記積層されたディスクの少なくとも二つは、本体部と、前記本体部の表面を通して定義される複数の組み立て部と、前記本体部の一面から突出する第１の突起部と、前記本体部の他面から突出する第２の突起部と、を含み、
前記本体部は、前記複数の組み立て部によって複数のセクタに区画され、
前記第１の突起部と第２の突起部は、前記複数のセクタが分割される各領域で交互に形成されることを特徴とする空気清浄加湿器。
【請求項２】
前記複数のセクタは同一の角度で配置されることを特徴とする、請求項１に記載の空気清浄加湿器。
【請求項３】
前記複数の領域は同一の大きさを有することを特徴とする、請求項１に記載の空気清浄加湿器。
【請求項４】
前記本体部の一面と前記本体部の他面は互いに反対面であることを特徴とする、請求項１に記載の空気清浄加湿器。
【請求項５】
前記本体部はリング状のリング部を含むことを特徴とする、請求項１に記載の空気清浄加湿器。
【請求項６】
前記各組み立て部は、略９０°の角度で連続して配置される第１の組み立て部、第２の組み立て部、第３の組み立て部及び第４の組み立て部を含み、
前記各セクタは、前記第１の組み立て部と第２の組み立て部との間に形成される第１のセクタと、前記第２の組み立て部と第３の組み立て部との間に形成される第２のセクタと、前記第３の組み立て部と第４の組み立て部との間に形成される第３のセクタと、前記第１の組み立て部と前記第４の組み立て部との間に形成される第４のセクタと、を含み、
前記第１〜第４のセクタは、前記第１の突起部を有する第１の領域と、前記第２の突起部を有する第２の領域とに分割されることを特徴とする、請求項１に記載の空気清浄加湿器。
【請求項７】
前記各組み立て部は、略１２０°の角度で連続して配置される第１の組み立て部、第２の組み立て部及び第３の組み立て部を含み、
前記各セクタは、前記第１の組み立て部と第２の組み立て部との間に形成される第１のセクタと、前記第２の組み立て部と第３の組み立て部との間に形成される第２のセクタと、前記第１の組み立て部と第３の組み立て部との間に形成される第３のセクタと、を含み、
前記第１〜第３のセクタは、前記第１の突起部を有する第１の領域と、前記第２の突起部を有する第２の領域とに分割されることを特徴とする、請求項１に記載の空気清浄加湿器。
【請求項８】
前記第１のセクタの第１の領域及び第２の領域の大きさは、前記第２〜第４のセクタの第１及び第２の領域の大きさと同一であることを特徴とする、請求項６に記載の空気清浄加湿器。
【請求項９】
前記第１のセクタの第１の領域及び第２の領域の大きさは、前記第２及び第３のセクタの第１及び第２の領域の大きさと同一であることを特徴とする、請求項７に記載の空気清浄加湿器。
【請求項１０】
前記ディスクアセンブリは、前記各ディスクの両側に配置される第１のプレート部材及び第２のプレート部材をさらに含み、
前記第１のプレート部材及び第２のプレート部材のうち少なくとも一つは、前記各組み立て部を通過し、前記各ディスクを共に固定することを特徴とする、請求項１に記載の空気清浄加湿器。
【請求項１１】
前記各組み立て部は、前記各ディスクの表面を通して定義されるホール部を含むことを特徴とする、請求項１に記載の空気清浄加湿器。
【請求項１２】
前記各組み立て部は、前記各ディスクの枠上に形成された溝部を含むことを特徴とする、請求項１に記載の空気清浄加湿器。
【請求項１３】
前記第１の突起部及び前記第２の突起部は多数の微細突起を含むことを特徴とする、請求項１に記載の空気清浄加湿器。
【請求項１４】
前記複数の組み立て部は、前記ディスク本体の一部を切開することによって形成されることを特徴とする、請求項１に記載の空気清浄加湿器。
【請求項１５】
前記第１及び第２の突起部は偶数の領域で交互に形成されることを特徴とする、請求項１に記載の空気清浄加湿器。
【請求項１６】
本体と、
前記本体の内部に設けられる水槽と、
前記本体の内部で気流を形成する送風ファンと、
前記水槽内に一部が配置され、少なくとも第１及び第２の積層されたディスクを含む回転可能なディスクアセンブリと、を含み、
前記第１及び第２のディスクは、リング部と、前記リング部の少なくとも一部を通して定義された複数の組み立て部と、第１の方向に前記リング部から突出する第１の突起部と、前記第１の方向とは異なる第２の方向に前記リング部から突出する第２の突起部と、を含み、
前記第１の突起部と第２の突起部は、前記各組み立て部間の各領域が分割された各領域で交互に形成されることを特徴とする空気清浄加湿器。
【請求項１７】
前記各組み立て部は、略９０°の角度で連続して配置される第１の組み立て部、第２の組み立て部、第３の組み立て部及び第４の組み立て部を含み、
前記第１の突起部は、一定の間隔で前記第１〜第４の組み立て部間の各領域から突出し、前記第２の突起部は、前記第１〜第４の組み立て部間の各領域から突出することを特徴とする、請求項１６に記載の空気清浄加湿器。
【請求項１８】
前記各組み立て部は、略１２０°の角度で連続して配置される第１の組み立て部、第２の組み立て部及び第３の組み立て部を含み、
前記第１の突起部は、一定の間隔で前記第１〜第３の組み立て部間の各領域から突出し、前記第２の突起部は、前記第１〜第３の組み立て部間の各領域から突出することを特徴とする、請求項１６に記載の空気清浄加湿器。
【請求項１９】
前記第１及び第２の突起部は偶数の領域で交互に形成されることを特徴とする、請求項１６に記載の空気清浄加湿器。
【請求項２０】
前記ディスクアセンブリは、少なくとも第１及び第２の積層されたディスクを有するディスク部材と、前記ディスク部材の両面にそれぞれ配置され、前記ディスク部材を固定する第１及び第２のプレート部材と、を含み、
前記第１及び第２のディスクは、リング部と、前記リング部の一面から突出する第１の突起部と、前記リング部の他面から突出する第２の突起部と、前記リング部の一面の少なくとも一部を通して定義された複数の組み立て部と、を含み、
前記第１のディスクの前記第１及び第２の突起部と前記第２のディスクの前記第１及び第２の突起部は、前記各組み立て部間の前記各リング部の各領域が分割される各領域で交互に形成され、
前記第１のディスクの前記第１及び第２の突起部の少なくとも一つは、前記第１及び第２のディスクが積層されるときに前記第２のディスクと隣接することを特徴とする空気清浄加湿器のディスクアセンブリ。
【請求項２１】
前記第２の突起部は、前記一面に対して前記リング部の反対面から突出することを特徴とする、請求項２０に記載のディスクアセンブリ。
【請求項２２】
前記第２のディスクの前記第１及び第２の突起部の少なくとも一つは、前記第１及び第２のディスクが積層されるときに前記第１のディスクと隣接することを特徴とする、請求項２０に記載のディスクアセンブリ。
【請求項２３】
前記第１のディスクの第１の組み立て部が第１の位置で前記第２のディスクの第１の組み立て部に対応するとき、前記第１のディスクの前記第１の組み立て部が前記第２のディスクの第２の組み立て部に対応するように、前記第１のディスクが前記第２のディスクに対して前記第１の位置から第２の位置に回転し、前記第１のディスクの前記各突起部の少なくとも一つは、前記第１及び第２のディスクが積層されるときに前記第２のディスクの前記突起部の少なくとも一つと交互に位置することを特徴とする、請求項２０に記載のディスクアセンブリ。
【請求項２４】
前記ディスクアセンブリは、少なくとも第１及び第２の積層されたディスクを有するディスク部材と、前記ディスク部材の両面にそれぞれ配置される第１及び第２のプレート部材と、を含み、
前記各ディスクは、前記対応するディスクを通して定義された少なくとも一つの収容ホールを含み、
前記第１及び第２のディスクは、リング部と、前記リング部の一面から突出する第１の突起部と、前記リング部の他面から突出する第２の突起部と、を含み、前記第１及び第２の突起部は各領域で交互に形成され、前記少なくとも一つの収容ホールは、前記リング部の一面の少なくとも一部を通して定義され、
前記各プレート部材の少なくとも一つは、前記少なくとも一つの収容ホールに収容可能な少なくとも一つの結合部を含み、前記ディスク部材の各ディスクを維持するために前記他のプレート部材で固定し、
前記第１及び第２のディスクは、前記第１のディスクの前記少なくとも一つの収容ホールが前記第２のディスクの前記少なくとも一つの収容ホールに対応するとき、前記第１のディスクの前記少なくとも一つの突起部は、前記第１及び第２のディスクが積層されるときに前記第２のディスクの前記突起部の少なくとも一つと交互に位置することを特徴とする空気清浄加湿器のディスクアセンブリ。
【発明の詳細な説明】
【技術分野】
【０００１】
本発明の各実施形態は、ディスクアセンブリを備えており、室内空気の浄化機能と加湿機能を行う空気清浄加湿器及びそのディスクアセンブリに関するものである。
【背景技術】
【０００２】
一般に、加湿器は、室内湿度を適正な水準に維持し、各種呼吸器疾患を予防するために使用される。
【０００３】
加湿器は多様な加湿方式で動作する。最近は、多様な加湿方式で動作する加湿器のうち、空気浄化フィルタによって浄化された空気が水に濡れたディスクアセンブリを経て排出口を介して外部に排出されることによって加湿を行う、ディスクアセンブリを備えた気化式加湿器が提案されている。
【０００４】
このようなディスクアセンブリは、一定の間隔で多数枚のディスクを積層することによって組み立てられる。しかしながら、ディスクの組み立て時に方向性を考慮しなければならないので、ディスクアセンブリの組み立てが不便になるという問題がある。
【発明の概要】
【発明が解決しようとする課題】
【０００５】
少なくとも一つの実施形態の一側面は、ディスクアセンブリが積層によって容易に組み立てられる空気清浄加湿器及びそのディスクアセンブリを提供する。
【課題を解決するための手段】
【０００６】
一側面に係る空気清浄加湿器は、本体と、前記本体の内部に設けられる水槽と、前記本体の内部で気流を形成する送風ファンと、前記水槽に一部分が配置され、複数の積層されたディスクを有するディスクアセンブリとを含み、前記積層されたディスクの少なくとも二つは、本体部と、前記本体部の表面を通して定義される複数の組み立て部と、前記本体部の一面から突出する第１の突起部と、前記本体部の他面から突出する第２の突起部とを含み、前記本体部は、前記複数の組み立て部によって複数のセクタに区画され、前記第１の突起部と第２の突起部は、前記複数のセクタが分割される各領域で交互に形成されることを特徴とする。
【０００７】
前記複数のセクタは同一の角度で配置されることを特徴とする。
【０００８】
前記複数の領域は同一の大きさを有することを特徴とする。
【０００９】
前記本体部の一面と前記本体部の他面は互いに反対面であることを特徴とする。
【００１０】
前記本体部はリング状のリング部を含むことを特徴とする。
【００１１】
前記各組み立て部は、略９０°の角度で連続して配置される第１の組み立て部、第２の組み立て部、第３の組み立て部及び第４の組み立て部を含み、前記各セクタは、前記第１の組み立て部と第２の組み立て部との間に形成される第１のセクタと、前記第２の組み立て部と第３の組み立て部との間に形成される第２のセクタと、前記第３の組み立て部と第４の組み立て部との間に形成される第３のセクタと、前記第１の組み立て部と前記第４の組み立て部との間に形成される第４のセクタとを含み、前記第１〜第４のセクタは、前記第１の突起部を有する第１の領域と、前記第２の突起部を有する第２の領域とに分割されることを特徴とする。
【００１２】
前記各組み立て部は、略１２０°の角度で連続して配置される第１の組み立て部、第２の組み立て部及び第３の組み立て部を含み、前記各セクタは、前記第１の組み立て部と第２の組み立て部との間に形成される第１のセクタと、前記第２の組み立て部と第３の組み立て部との間に形成される第２のセクタと、前記第１の組み立て部と第３の組み立て部との間に形成される第３のセクタとを含み、前記第１〜第３のセクタは、前記第１の突起部を有する第１の領域と、前記第２の突起部を有する第２の領域とに分割されることを特徴とする。
【００１３】
前記第１のセクタの第１の領域及び第２の領域の大きさは、前記第２〜第４のセクタの第１及び第２の領域の大きさと同一であることを特徴とする。
【００１４】
前記第１のセクタの第１の領域及び第２の領域の大きさは、前記第２及び第３のセクタの第１及び第２の領域の大きさと同一であることを特徴とする。
【００１５】
前記ディスクアセンブリは、前記各ディスクの両側に配置される第１のプレート部材及び第２のプレート部材をさらに含み、前記第１のプレート部材及び第２のプレート部材のうち少なくとも一つは、前記各組み立て部を通過し、前記各ディスクを共に固定することを特徴とする。
【００１６】
前記各組み立て部は、前記各ディスクの表面を通して定義されるホール部を含むことを特徴とする。
【００１７】
前記各組み立て部は、前記各ディスクの枠上に形成された溝部を含むことを特徴とする。
【００１８】
前記第１の突起部及び前記第２の突起部は多数の微細突起を含むことを特徴とする。
【００１９】
前記複数の組み立て部は、前記ディスク本体の一部を切開することによって形成されることを特徴とする。
【００２０】
前記第１及び第２の突起部は偶数の領域で交互に形成されることを特徴とする。
【００２１】
他の側面に係る空気清浄加湿器は、本体と、前記本体の内部に設けられる水槽と、前記本体の内部で気流を形成する送風ファンと、前記水槽内に一部が配置され、少なくとも第１及び第２の積層されたディスクを含む回転可能なディスクアセンブリとを含み、前記第１及び第２のディスクは、リング部と、前記リング部の少なくとも一部を通して定義された複数の組み立て部と、第１の方向に前記リング部から突出する第１の突起部と、前記第１の方向とは異なる第２の方向に前記リング部から突出する第２の突起部とを含み、前記第１の突起部と第２の突起部は、前記各組み立て部が分割された各領域で交互に形成されることを特徴とする。
【００２２】
前記各組み立て部は、略９０°の角度で連続して配置される第１の組み立て部、第２の組み立て部、第３の組み立て部及び第４の組み立て部を含み、前記第１の突起部は、一定の間隔で前記第１〜第４の組み立て部間の各領域から突出し、前記第２の突起部は、前記第１〜第４の組み立て部間の各領域から突出することを特徴とする。
【００２３】
前記各組み立て部は、略１２０°の角度で連続して配置される第１の組み立て部、第２の組み立て部及び第３の組み立て部を含み、前記第１の突起部は、一定の間隔で前記第１〜第３の組み立て部間の各領域から突出し、前記第２の突起部は、前記第１〜第３の組み立て部間の各領域から突出することを特徴とする。
【００２４】
前記第１及び第２の突起部は偶数の領域で交互に形成されることを特徴とする。
【００２５】
前記ディスクアセンブリは、少なくとも第１及び第２の積層されたディスクを有するディスク部材と、前記ディスク部材の両面にそれぞれ配置され、前記ディスク部材を固定する第１及び第２のプレート部材とを含み、前記第１及び第２のディスクは、リング部と、前記リング部の一面から突出する第１の突起部と、前記リング部の他面から突出する第２の突起部と、前記リング部の一面の少なくとも一部を通して定義された複数の組み立て部とを含み、前記第１のディスクの前記第１及び第２の突起部と前記第２のディスクの前記第１及び第２の突起部は、前記各組み立て部間の前記各リング部が分割される各領域で交互に形成され、前記第１のディスクの前記第１及び第２の突起部の少なくとも一つは、前記第１及び第２のディスクが積層されるときに前記第２のディスクと隣接することを特徴とする。
【００２６】
前記第２の突起部は、前記一面に対して前記リング部の反対面から突出することを特徴とする。
【００２７】
前記第２のディスクの前記第１及び第２の突起部の少なくとも一つは、前記第１及び第２のディスクが積層されるときに前記第１のディスクと隣接することを特徴とする。
【００２８】
前記第１のディスクの第１の組み立て部が第１の位置で前記第２のディスクの第１の組み立て部に対応するとき、前記第１のディスクの前記第１の組み立て部が前記第２のディスクの第２の組み立て部に対応するように、前記第１のディスクが前記第２のディスクに対して前記第１の位置から第２の位置に回転し、前記第１のディスクの前記各突起部の少なくとも一つは、前記第１及び第２のディスクが積層されるときに前記第２のディスクの前記突起部の少なくとも一つと交互に位置することを特徴とする。
【００２９】
前記ディスクアセンブリは、少なくとも第１及び第２の積層されたディスクを有するディスク部材と、前記ディスク部材の両面にそれぞれ配置される第１及び第２のプレート部材とを含み、前記各ディスクは、前記対応するディスクを通して定義された少なくとも一つの収容ホールを含み、前記第１及び第２のディスクは、リング部と、前記リング部の一面から突出する第１の突起部と、前記リング部の他面から突出する第２の突起部とを含み、前記第１及び第２の突起部は各領域で交互に形成され、前記少なくとも一つの収容ホールは、前記リング部の一面の少なくとも一部を通して定義され、前記各プレート部材の少なくとも一つは、前記少なくとも一つの収容ホールに収容可能な少なくとも一つの結合部を含み、前記ディスク部材の各ディスクを維持するために前記他のプレート部材で固定し、前記第１及び第２のディスクは、前記第１のディスクの前記少なくとも一つの収容ホールが前記第２のディスクの前記少なくとも一つの収容ホールに対応するとき、前記第１のディスクの前記少なくとも一つの突起部は、前記第１及び第２のディスクが積層されるときに前記第２のディスクの前記突起部の少なくとも一つと交互に位置することを特徴とする。
【発明の効果】
【００３０】
少なくとも一つの実施形態に係る空気清浄加湿器及びそのディスクアセンブリによれば、ディスク部材の各ディスクの本体部が複数の組み立て部によって複数のセクタに区画されれば、各セクタが偶数の領域に分割され、ディスク部材の反対面から突出する突起部がこれら各領域で交互に配置されることによって、ディスク部材が積層によって容易に組み立てられる。
【図面の簡単な説明】
【００３１】
【図１】少なくとも一つの実施形態に係る空気清浄加湿器の外観を示した斜視図である。
【図２】図１の空気清浄加湿器の分解斜視図である。
【図３】少なくとも一つの実施形態に係るディスクアセンブリの組み立て状態を示した斜視図である。
【図４】図３に示したディスクアセンブリの正面図である。
【図５】図３に示したディスクアセンブリの縦断面図である。
【図６】図３に示したディスクアセンブリの分解斜視図である。
【図７】少なくとも一つの実施形態に係るディスク部材の一部のディスクを拡大して示した斜視図である。
【図８】図７に示したディスクを拡大して示した正面図である。
【図９】図７に示した回転した第１のディスクと第２のディスクの積層を示した図である。
【図１０】図７に示したひっくり返した第１のディスクと第２のディスクの積層を示した図である。
【図１１】少なくとも一つの実施形態に係るディスク部材の一部のディスクを拡大して示した斜視図である。
【図１２】図１１に示した各ディスクを拡大して示した正面図である。
【図１３】図３に示したディスクアセンブリの少なくとも一つの実施形態の分解斜視図である。
【発明を実施するための形態】
【００３２】
以下、本発明の一実施形態を添付の図面を参照して詳細に説明する。
【００３３】
図１は、少なくとも一つの実施形態に係る空気清浄加湿器の外観を示した斜視図で、図２は、図１の空気清浄加湿器の分解斜視図である。
【００３４】
図１及び図２に示すように、この実施形態に係る空気清浄加湿器１は、外観を形成する本体１０と、本体１０の内部に配置され、水を収容する水槽２０と、水槽２０内に一部が配置された条件で回転するディスクアセンブリ３０と、ディスクアセンブリ３０に空気を送風する送風装置４０とを含む。
【００３５】
本体１０は、本体フレーム１１と、空気清浄加湿器１の前面の外観を形成する前面カバー１２と、空気清浄加湿器１の後面の外観を形成する後面カバー１３と、本体１０の上側で空気排出口１４ｃを形成する排出グリル１４とを含む。
【００３６】
本体フレーム１１は、空気清浄加湿器１全体を支えるフレームとしての役割をする。本体フレーム１１には、水槽２０、ディスクアセンブリ３０及び送風装置４０を含む各種部品が設置される。
【００３７】
水槽２０は、水を収容する空間であって、ディスクアセンブリ３０の下部は、水槽２０の水収容部２１内に部分的に配置された状態で水に浸される。すなわち、ディスクアセンブリ３０は、本体フレーム１１の水収容部２１に収容された水に浸される。また、水槽２０には、後述する水タンクから供給された水を受ける給水部２２が設けられている。
【００３８】
ディスクアセンブリ３０は略リング状を有し、それについては後で詳細に説明することにする。
【００３９】
送風装置４０は、駆動力を提供する送風モータ４１と、送風モータ４１から駆動力を受け、この駆動力を用いて空気の流れを生成する送風ファン４２とを含む。送風ファン４２は、空気吸入口１３ａを介して空気を吸入した後、空気排出口１４ｃを介して空気を排出するように空気清浄加湿器１内で気流を発生させる。
【００４０】
本体フレーム１１の上側にはヒーター１５が設置される。ヒーター１５は、必要時に外部に排出される加湿空気を加熱し、暖かい加湿空気を生成する役割をする。
【００４１】
また、本体フレーム１１の上部の両側面には殺菌装置１６が設置される。殺菌装置１６は、加湿空気内の有害な細菌などを撲滅し、空気清浄加湿器１の外部にきれいな加湿空気を排出する役割をする。
【００４２】
前面カバー１２は、略矩形状を有し、本体フレーム１１の前面に結合される。前面カバー１２の外面は、各種絵や図形などで装飾される。そして、前面カバー１２の上側には、空気清浄加湿器１を操作するための操作部１２ａが設けられる。
【００４３】
操作部１２ａは、各種ボタンを備えており、ユーザが空気清浄加湿器１を操作できるようにする。操作部１２ａは、ボタン方式のみならず、タッチ方式でも操作されるが、これに限定されるものでなく、入力機構のいずれの方式でも操作可能である。
【００４４】
後面カバー１３は、本体フレーム１１の後面に結合され、水タンク５０を収容する水タンク収容部１３ｂを含む。後面カバー１３には複数の空気吸入口１３ａが形成され、このような空気吸入口１３ａを介して室内の乾燥空気が空気清浄加湿器１内に吸入される。
【００４５】
水タンク収容部１３ｂは、その上部が開口された形態で後面カバー１３の後面部から突出する。また、水タンク収容部１３ｂの内部には内側カバー１３ｃが設置され、水タンク収容部１３ｂ内の内側カバー１３ｃ上には水タンク５０が収容される。
【００４６】
水タンク５０は、加湿に必要な水を貯蔵した後、水槽２０の給水部２２を経て水槽２０の水収容部２１に適正な量の水を供給する役割をし、空気清浄加湿器１にカセット方式で装着される。
【００４７】
水タンク５０が空気清浄加湿器１に装着されるとき、水タンク５０の上部は水タンクカバー５１で覆われる。そして、水タンク収容部１３ｂの後面内側にはフィルタ６０が設置される。フィルタ６０は、外部から流入する空気から不純物をろ過する役割をする。
【００４８】
排出グリル１４は、本体１０の上側に結合され、空気排出口１４ｃを備えている。排出グリル１４は、本体１０の外側に装着される外側排出グリル部１４ａと、本体１０の内側に装着される内側排出グリル部１４ｂとを含む。
【００４９】
次に、図３〜図６を参照して、少なくとも一つの実施形態に係るディスクアセンブリについて説明する。図３は、少なくとも一つの実施形態に係るディスクアセンブリの組み立て状態を示した斜視図で、図４は、図３に示したディスクアセンブリの正面図で、図５は、図３に示したディスクアセンブリの縦断面図で、図６は、図３に示したディスクアセンブリの分解斜視図である。
【００５０】
図３〜図６に示すように、少なくとも一つの実施形態に係る空気清浄加湿器１においては、ディスクアセンブリ３０が送風ファン４２を取り囲むように配置され、ディスクアセンブリ３０の回転中心Ａが送風ファン４２の回転中心Ｂとほぼ同一になる。そして、ディスクアセンブリ３０は、送風ファン４２と重なるように本体フレーム１１に収容される。
【００５１】
ディスクアセンブリ３０は、少なくとも二つのディスクを積層することによって組み立てられるディスク部材３１と、ディスク部材３１の一側に配置される第１のプレート部材３２と、ディスク部材３１の他側に配置され、第１のプレート部材３２と結合される第２のプレート部材３３とを含む。
【００５２】
少なくとも一つの実施形態に係るディスク部材３１は、加湿エレメントとして機能し、多数枚のリング状のディスクを積層することによって得られる。ディスク部材３１は、略リング状であって、第１のプレート部材３２と第２のプレート部材３３が組み立てられるように一部を切開することによって得られる組み立て部３１ａを備えている。
【００５３】
ディスク部材３１の組み立て部３１ａは、ディスク部材３１の表面上の一地点に形成されるホール部３１ａを含むことができる。ホール部３１ａは、ディスク部材３１の表面の一部を除去することによって形成される。
【００５４】
このようにリング状のディスク部材３１にホール部３１ａなどの組み立て部３１ａが形成されれば、多数のディスク部材３１が積層されるとき、ディスク部材３０を積層するための整列が容易であって、第１のプレート部材３２がディスク部材３１に挿入されるとき、精巧な操作なしに第１のプレート部材３２とディスク部材３１が簡便に組み立てられる。ただし、組み立て部３１ａは、ディスク部材３１の枠の一部を除去することによって形成される溝部３１ｂ（図１３参照）を含むことができる。また、組み立て部３１ａは、多数の溝部３１ｂ及びホール部３１ａを含むこともできる。このようなディスク部材３１については、図７〜図１０を参照して後で具体的に説明することにする。
【００５５】
第１のプレート部材３２は、略リング状であって、ディスク部材３１のホール部３１ａに対応して形成される少なくとも一つの結合部３２ａを含む。
【００５６】
結合部３２ａは、ディスク部材３１のホール部３１ａに挿入され、ディスクアセンブリ３０の組み立て形状を維持する役割をする。各結合部３２ａは、ディスク部材３１の積層方向に突出するディスク部材固定部３２ｂと、ディスク部材固定部３２ｂの内部に形成され、ねじ（又はその他のタイプの固定手段）３４が結合されるねじ結合部３２ｃとを含む。
【００５７】
第２のプレート部材３３は、ディスク部材３１のホール部３１ａ及び第１のプレート部材３２の結合部３２ａに対応する各位置に形成されるねじ孔３３ａを含む。ねじ孔３３ａは、ねじ３４を第１のプレート部材３２のねじ結合部３２ａに結合する過程で中間媒介体としての役割をする。
【００５８】
このようなディスクアセンブリ３０は、ディスクアセンブリ３０のための回転力を発生させる駆動ユニット７０に結合される。駆動ユニット７０は、駆動モータ７１及び駆動ギア７２を含み、駆動ギア７２は、第１のプレート部材３２のギア部３２ｄに連結される。
【００５９】
駆動ユニット７０の駆動ギア７２を第１のプレート部材３２のギア部３２ｄと噛み合わせることによって、駆動ユニット７０の駆動力がディスクアセンブリ３０に伝達される。駆動ギア７２は、ディスクアセンブリ３０の回転中心Ａより下側に位置する。これは、ディスクアセンブリ３０が空気清浄加湿器１内に装着されたり、空気清浄加湿器１から分離されるとき、ディスクアセンブリ３０と駆動ユニット７０との干渉を防止できるためである。
【００６０】
また、水槽２０の内部には、ディスクアセンブリ３０を支持する支持部材８０が設けられる。支持部材８０は、水槽２０内部の両側に着脱可能に配置される。このような支持部材８０は、回転可能に設けられ、ディスクアセンブリ３０を支持すると同時に、ディスクアセンブリ３０が駆動ギア７２によってより安定的に回転するようにディスクアセンブリ３０をガイドする役割をする。
【００６１】
次に、図７及び図８を参照して、少なくとも一つの実施形態に係るディスク部材について説明する。
【００６２】
図７は、少なくとも一つの実施形態に係るディスク部材の一部のディスクを拡大して示した斜視図で、図８は、図７に示した各ディスクを拡大して示した正面図である。
【００６３】
図７及び図８に示すように、ディスク部材３１は、少なくとも二つのディスク１００、２００を積層することによって形成される。これらディスク１００、２００のうち、右側に配置されたディスクを第１のディスク１００と称し、左側に配置されたディスクを第２のディスク２００と称する。そして、第２のディスク２００は、第１のディスク１００と同一の構造を有するので、それに対する具体的な説明は省略する。
【００６４】
第１のディスク１００は、リング状の本体部１１０と、本体部１１０の表面を切開することによって形成される複数の組み立て部１２０と、本体部１１０の一面に形成される第１の突起部１３０と、本体部１１０の他面に形成される第２の突起部１４０とを含む。ここで、第１の突起部１３０及び第２の突起部１４０は多数の微細突起を含むことができる。
【００６５】
本体部１１０は、複数の組み立て部１２０によって複数のセクタＳ１、Ｓ２、Ｓ３、Ｓ４に区画される。説明の便宜上、第１のディスク１００の各組み立て部１２０のうち、最上部のものを第１の組み立て部１２１と称し、他の組み立て部は、第１の組み立て部１２１から時計方向に順に第２の組み立て部１２２、第３の組み立て部１２３及び第４の組み立て部１２４と称する。ここで、第１の組み立て部１２１、第２の組み立て部１２２、第３の組み立て部１２３及び第４の組み立て部１２４は、本体部１１０の表面に略９０°の角度で配置されるが、これに限定されることはない。
【００６６】
各セクタＳ１、Ｓ２、Ｓ３は、第１の組み立て部１２１と第２の組み立て部１２２との間に形成される第１のセクタＳ１と、第２の組み立て部１２２と第３の組み立て部１２３との間に形成される第２のセクタＳ２と、第３の組み立て部１２３と第４の組み立て部１２４との間に形成される第３のセクタＳ３と、第１の組み立て部１２１と第４の組み立て部１２４との間に形成される第４のセクタＳ４とを含む。
【００６７】
したがって、同一の大きさを有する第１のセクタＳ１、第２のセクタＳ２、第３のセクタＳ３及び第４のセクタＳ４は、略９０°の角度で配置されるが、これに限定されることはない。
【００６８】
そして、第１のセクタＳ１は、本体部１１０の一面から突出する第１の突起部１３０を有する第１の領域Ｄ１と、本体部１１０の他面から突出する第２の突起部１４０を有する第２の領域Ｄ２とに分割される。第１の領域Ｄ１と第２の領域Ｄ２は、ほぼ同一の大きさを有して交互に反復される。
【００６９】
図８は、第１のセクタＳ１が二つの領域、例えば、第１の突起部１３０を有する第１の領域Ｄ１と第２の突起部１４０を有する第２の領域Ｄ２に分割されたことを示しているが、このような第１の領域Ｄ１と第２の領域Ｄ２の数は、それぞれ２個、３個又はそれ以上である。すなわち、第１のセクタＳ１は偶数の領域に分割され、第１の突起部１３０を有する第１の領域Ｄ１と第２の突起部１４０を有する第２の領域Ｄ２が交互に反復される。
【００７０】
そして、第２のセクタＳ２、第３のセクタＳ３及び第４のセクタＳ４も、第１のセクタＳ１と同一に形成される。すなわち、第２のセクタＳ２、第３のセクタＳ３及び第４のセクタＳ４は、本体部１１０の一面から突出する第１の突起部１３０を有する第１の領域Ｄ１と、本体部１１０の他面から突出する第２の突起部１４０を有する第２の領域Ｄ２とに分割され、第１の領域Ｄ１と第２の領域Ｄ２はそれぞれ２個、３個又はそれ以上で交互に反復される。
【００７１】
次に、図９及び図１０を参照して、少なくとも一つの実施形態に係るディスクアセンブリの作用について説明する。図９は、図７に示した回転した第１のディスクと第２のディスクの積層を示した図で、図１０は、図７に示したひっくり返した第１のディスクと第２のディスクの積層を示した図である。
【００７２】
図９及び図１０に示すように、第１のディスク１００の第１〜第４の組み立て部１２１、１２２、１２３、１２４が第２のディスク２００の第１〜第４の組み立て部２２１、２２２、２２３、２２４とそれぞれ一致するように第１のディスク１００と第２のディスク２００が積層される。このとき、第１のディスク１００の第１〜第４の組み立て部１２１、１２２、１２３、１２４と第２のディスク２００の第１〜第４の組み立て部２２１、２２２、２２３、２２４は、第１のディスク１００の第１〜第４の組み立て部１２１、１２２、１２３、１２４と第２のディスク２００の第１〜第４の組み立て部２２１、２２２、２２３、２２４がそれぞれ互いに対向するという条件下で所定の間隔で互いに離隔している。これは、第１のディスク１００の第１〜第４の組み立て部１２１、１２２、１２３、１２４の第１及び第２の突起部１３０、１４０と、第２のディスク２００の第１〜第４の組み立て部２２１、２２２、２２３、２２４の第１及び第２の突起部２３０、２４０がそれぞれ交互に形成されており、互いに重畳されずに第１のディスク１００と第２のディスク２００との間の同一の間隔が維持されるためである。
【００７３】
ここで、第１のディスク１００の第１の組み立て部１２１が第２のディスク２００の第２の組み立て部２２２と一致するように第１のディスク１００が９０°の角度で回転し、その結果、第１のディスク１００の第１のセクタＳ１が第２のディスク２００の第２のセクタＳ２と対向し、第１のディスク１００の第２のセクタＳ２が第２のディスク２００の第３のセクタＳ３と対向し、第１のディスク１００の第３のセクタＳ３が第２のディスク２００の第４のセクタＳ４と対向し、第１のディスク１００の第４のセクタＳ４が第２のディスク２００の第１のセクタＳ１と対向するように配置される。
【００７４】
この場合、第１のディスク１００の第１のセクタＳ１に交互に形成された第１の突起部１３０と第２の突起部１４０は、第２のディスク２００の第２のセクタＳ２に交互に形成された第１の突起部２３０と第２の突起部２４０に互いに重畳されずに積層され、第１のディスク１００と第２のディスク２００が一定の間隔で安定的に積層される。
【００７５】
これと同様に、第１のディスク１００の第２のセクタＳ２に交互に形成された第１及び第２の突起部１３０、１４０は、第２のディスク２００の第３のセクタＳ３に交互に形成された第１及び第２の突起部２３０、２４０に互いに重畳されずに積層され、第１のディスク１００の第３のセクタＳ３に交互に形成された第１及び第２の突起部１３０、１４０は、第２のディスク２００の第４のセクタＳ４に交互に形成された第１及び第２の突起部２３０、２４０に互いに重畳されずに積層され、第１のディスク１００の第４のセクタＳ４に交互に形成された第１及び第２の突起部１３０、１４０は、第２のディスク２００の第１のセクタＳ１に交互に形成された第１及び第２の突起部２３０、２４０に互いに重畳されずに積層される。
【００７６】
第１のディスク１００が９０°回転する場合のみならず、第１のディスク１００が１８０°又は２７０°回転する場合も、第１のディスク１００の第１〜第４のセクタＳ１、Ｓ２、Ｓ３、Ｓ４の第１及び第２の突起部１３０、１４０と第２のディスク２００の第１〜第４のセクタＳ１、Ｓ２、Ｓ３、Ｓ４の第１及び第２の突起部２３０、２４０は、互いに重畳されずに一定の間隔で積層される。
【００７７】
一方、第１のディスク１００は、第１のディスク１００の第１の組み立て部１２１が第２のディスク２００の第１の組み立て部２２１と一致するようにひっくり返され、その結果、第１のディスク１００の第１のセクタＳ１が第２のディスク２００の第４のセクタＳ４と対向し、第１のディスク１００の第２のセクタＳ２が第２のディスク２００の第３のセクタＳ３と対向し、第１のディスク１００の第３のセクタＳ３が第２のディスク２００の第２のセクタＳ２と対向し、第１のディスク１００の第４のセクタＳ４が第２のディスク２００の第１のセクタＳ１と対向するように配置される。
【００７８】
この場合も、第１のディスク１００が回転する場合と同様に、第１のディスク１００の第１のセクタＳ１に交互に形成された第１の突起部１３０と第２の突起部１４０は、第２のディスク２００の第４のセクタＳ４に交互に形成された第１の突起部２３０と第２の突起部２４０に互いに重畳されずに積層されるので、第１のディスク１００と第２のディスク２００が一定の間隔で安定的に積層される。したがって、ディスク部材３１が積層によって組み立てられるとき、ディスク部材３１は方向性を考慮せずに容易に組み立てられる。
【００７９】
以下、少なくとも一つの実施形態を図１１及び図１２を参照して説明する。また、上述した一実施形態と同一の構成要素には同一の参照符号を付与し、それに対する説明は省略する。図１１は、少なくとも一つの実施形態に係るディスク部材の一部のディスクを拡大して示した斜視図で、図１２は、図１１に示したディスクを拡大して示した正面図である。
【００８０】
図１１及び図１２に示すように、少なくとも一つの実施形態に係るディスク部材３１'は、少なくとも二つのディスク１００'、２００’を積層することによって形成される。
【００８１】
第１のディスク１００'のリング部１１０'は、複数の組み立て部１２０'によって複数のセクタＳ１、Ｓ２、Ｓ３に区画されるが、説明の便宜上、第１のディスク１００'の各組み立て部１２０'のうち最上部のものを第１の組み立て部１２１'と称し、他の組み立て部は、第１の組み立て部１２１'から時計方向に順に第２の組み立て部１２２'及び第３の組み立て部１２３'と称する。
【００８２】
各セクタＳ１、Ｓ２、Ｓ３は、第１の組み立て部１２１'と第２の組み立て部１２２'との間に形成される第１のセクタＳ１と、第２の組み立て部１２２’と第３の組み立て部１２３’との間に形成される第２のセクタＳ２と、第１の組み立て部１２１’と第３の組み立て部１２３’との間に形成される第３のセクタＳ３とを含む。ここで、第１のセクタＳ１、第２のセクタＳ２及び第３のセクタＳ３は、リング部１１０'の表面に略１２０°の角度で配置されるが、これに限定されることはない。
【００８３】
そして、第１のセクタＳ１は、リング部１１０'の第１の方向に第１の面から突出する第１の突起部１３０'を有する第１の領域Ｄ１と、第１の方向とは異なる第２の方向に第２の面から突出する第２の突起部１４０'を有する第２の領域Ｄ２とに分割されるが、このような第１の領域Ｄ１と第２の領域Ｄ２は交互に２回反復される。ただし、上述した実施形態と同様に、この実施形態では、第１のセクタＳ１は偶数の領域に分割され、これら領域では、二つの領域、例えば、第１の突起部１３０'を有する第１の領域Ｄ１と第２の突起部１４０'を有する第２の領域Ｄ２が交互に反復される。第１の領域Ｄ１と第２の領域Ｄ２が交互に反復される数には制限がない。また、上述した実施形態と同様に、第２のセクタＳ２及び第３のセクタＳ３も、第１のセクタＳ１と同一に形成される。
【００８４】
ここで、第１のディスク１００'の第１の組み立て部１２１'が第２のディスク２００'の組み立て部２２０’の第２の組み立て部２２２'と一致するように、第１のディスク１００'が１２０°の角度で回転し、その結果、第１のディスク１００'の第１のセクタＳ１が第２のディスク２００'の第２のセクタＳ２と対向し、第１のディスク１００'の第２のセクタＳ２が第２のディスク２００'の第３のセクタＳ３と対向し、第１のディスク１００'の第３のセクタＳ３が第２のディスク２００'の第１のセクタＳ１と対向するように配置される。
【００８５】
この場合も、第１のディスク１００'の第１のセクタＳ１に交互に形成される第１の突起部１３０'と第２の突起部１４０'は、第２のディスク２００'の第２のセクタＳ２に交互に形成される第１の突起部２３０'と第２の突起部２４０'に互いに重畳されずに積層され、第１のディスク１００'と第２のディスク２００'が一定の間隔で安定的に積層される。また、第１のディスク１００'の第２及び第３のセクタＳ２、Ｓ３の第１及び第２の突起部１３０'、１４０'と第２のディスク２００'の第１及び第３のセクタＳ１、Ｓ３の第１及び第２の突起部２３０'、２４０'は、互いに重畳されずに一定の間隔で積層される。
【００８６】
第１のディスク１００'が１２０°回転する場合のみならず、第１のディスク１００'が２４０°回転する場合も、第１のディスク１００'の第１〜第３のセクタＳ１、Ｓ２、Ｓ３の第１及び第２の突起部１３０'、１４０'と第２のディスク２００'の第１〜第３のセクタＳ１、Ｓ２、Ｓ３の第１及び第２の突起部２３０'、２４０'は、互いに重畳されずに一定の間隔で積層される。したがって、ディスク部材３１'が積層によって組み立てられるとき、ディスク部材３１’が方向性を考慮せずに容易に組み立てられる。
【００８７】
図１３は、ディスク部材３１の枠に形成された溝部３１ｂを含むディスクアセンブリの少なくとも一つの実施形態を示す図である。全ての参照符号は、図６に示した参照符号と同一である。
【００８８】
次に、図２〜図５を参照して、少なくとも一実施形態に係る空気清浄加湿器１について説明する。
【００８９】
まず、空気清浄加湿器１の水タンク５０に保存された水が水槽２０に給水される。水槽５０から給水される水は、給水部２２を経て水収容部２１内に貯水される。このとき、水収容部２１内の水の量は、所定の水面２１ａ（図５参照）に到達するように調節される。そして、リング状のディスクアセンブリ３０の一部は、水槽２１内の水面２１ａより下側に位置し、水槽２１内の水に浸される。
【００９０】
ユーザが操作部１２ａを通して空気清浄及び加湿モードを選択するとき、送風ファン４２及びディスクアセンブリ３０が同時に駆動され、浄化された空気は、ディスクアセンブリ３０を経て空気排出口１４ｃから外部に排出される。
【００９１】
以下、このような空気清浄及び加湿モードの動作過程を詳細に説明する。駆動ユニット７０から生成された駆動力が駆動ギア７２からディスクアセンブリ３０に伝達され、ディスクアセンブリ３０が回転する。
【００９２】
また、送風ファン４２がリング状の第１のプレート部材３２の開口部３２ｅ（図５参照）内に挿入されるので、ディスクアセンブリ３０は送風ファン４２の外周に沿って回転する。送風ファン４２の回転が空気清浄加湿器１内で気流を生成するが、このような気流を通して、空気は、空気清浄加湿器１の背面に形成された空気吸入口１３ａを介して空気清浄加湿器１内に吸入され、フィルタ６０を経て送風ファン４２に吸入された後、ディスクアセンブリ３０を通過して外部に排出される。
【００９３】
すなわち、送風ファン４２及びディスク部材３１は互いに重なり、送風ファン４２から排出される気流はディスクアセンブリ３０に送風される。このような送風される空気がディスク部材３１を通過する過程で、ディスク部材３１に含まれた水が気化される。このように得られた加湿空気は、空気排出口１４ｃを介して本体１０から外部に排出される。
【００９４】
上述したように、本発明の実施形態に係る空気清浄加湿器及びそのディスクアセンブリは、複数の組み立て部によって本体部が複数のセクタに区画されれば、これら各セクタを偶数の領域に分割し、前記各領域で互いに反対面から突出する突起部を交互に形成し、ディスク部材の積層組み立てを容易にすることを基本的な技術的思想としていることが分かる。したがって、本発明の基本的な技術的思想の範疇内で当業界の通常の知識を有する者によって他の多くの変形が可能であることは当然である。
【符号の説明】
【００９５】
１    空気清浄加湿器
１０    本体
２０    水槽
３０    ディスクアセンブリ
３１    ディスク部材
３２    第１のプレート部材
３３    第２のプレート部材
４０    送風装置
４１    送風ファン
５０    水タンク
１００    第１のディスク
１１０    本体部
１２０    各組み立て部
１３０    第１の突起部
１４０    第２の突起部
２００    第２のディスク
Ｓ１    第１のセクタ
Ｓ２    第２のセクタ
Ｓ３    第３のセクタ
Ｓ４    第４のセクタ
Ｄ１    第１の領域
Ｄ２    第２の領域
【図１】
2011080755.tif 000003
【図２】
2011080755.tif 000004
【図３】
2011080755.tif 000005
【図４】
2011080755.tif 000006
【図５】
2011080755.tif 000007
【図６】
2011080755.tif 000008
【図７】
2011080755.tif 000009
【図８】
2011080755.tif 000010
【図９】
2011080755.tif 000011
【図１０】
2011080755.tif 000012
【図１１】
2011080755.tif 000013
【図１２】
2011080755.tif 000014
【図１３】
2011080755.tif 000015